(57)【要約】  本発明は、少なくとも二つ以上のディスプレイと、ディスプレイ、回路および他の部品が各々装着された少なくとも二つ以上の折り畳み式パネルハウジングと、およびパネルハウジングの一つの側面の上段に備えられ、ディスプレイの繋ぎ目に装着される光学手段とからなり、前記パネルハウジングの折り畳まれた状態で、パネルハウジングの一つの側面は切断されて開口または連結繋ぎ部が形成され、光学手段の側面が互いに隣接する携帯用表示装置に関する。前記携帯用表示装置は一つの大画面を形成して二つの画面非表示領域としてのディスプレイパネルの繋ぎ目を最小化する。
2008542836.tif 000002
【特許請求の範囲】
【請求項１】
少なくとも二つ以上のディスプレイと、前記ディスプレイ、回路および部品が各々装着された少なくとも二つ以上の折り畳み式パネルハウジングと、前記パネルハウジングの一つの側面の上段に備えられ、ディスプレイの繋ぎ目に装着される光学手段とからなり、前記パネルハウジングの折り畳まれた状態で、パネルハウジングの一つの側面には開口または連結繋ぎ部が形成され、光学手段の側面が互いに隣接することを特徴とする携帯用表示装置。
【請求項２】
前記ディスプレイがパネルハウジングの一つの側面に各々密着されることを特徴とする請求項１記載の携帯用表示装置。
【請求項３】
前記光学手段の上に保護手段が備えられることを特徴とする請求項１記載の携帯用表示装置。
【請求項４】
前記保護手段と光学手段が一体に形成されることを特徴とする請求項３記載の携帯用表示装置。
【請求項５】
前記パネルハウジングの回転中心と光学手段または保護手段の間の距離が１ｍｍ以内であることを特徴とする請求項１記載の携帯用表示装置。
【請求項６】
前記ディスプレイの上部基板と下部基板をシーリングするシーリング剤は、ディスプレイパネルの繋ぎ目部で、画素から０．５ｍｍの範囲内に位置することを特徴とする請求項１記載の携帯用表示装置。
【請求項７】
前記光学手段は光の経路を移動させるために備えられ、光の経路を移動させる角度は、ディスプレイと光学手段の間の距離と画面非表示領域の幅を考慮して決められることを特徴とする請求項１記載の携帯用表示装置。
【請求項８】
前記ディスプレイが機器に装着される場合、ディスプレイの繋ぎ目部に相当する機器の側面は切開されて開口または連結繋ぎ目が形成されることを特徴とする請求項１記載の携帯用表示装置。
【請求項９】
前記ディスプレイがシャシーに装着される場合、ディスプレイの側面はディスプレイの繋ぎ目部のみを囲むことを特徴とする請求項１記載の携帯用表示装置。
【請求項１０】
第１ディスプレイおよび第２ディスプレイに供給されるデータ信号を分割することを特徴とする請求項１記載の携帯用表示装置。
【請求項１１】
第１ディスプレイおよび第２ディスプレイに供給される選択信号を分割することを特徴とする請求項１記載の携帯用表示装置。
【請求項１２】
前記ディスプレイの繋ぎ目部とは反対側にある一辺に、データ信号と選択信号を供給する外部電極を備えてなることを特徴とする請求項１記載の携帯用表示装置。
【発明の詳細な説明】
【技術分野】
【０００１】
本発明は複数のディスプレイを用いて一つの大画面を構成する折り畳み式携帯用表示装置に関し、特にディスプレイを広げるとディスプレイの上端に備わった光学手段が互いに隣接して、互いに隣接したディスプレイの間の繋ぎ目上の非表示領域を最小化する携帯用表示装置に関する。
【背景技術】
【０００２】
通常、二つ以上のディスプレイを用いて一つの大画面を構成する方法は大型表示装置に適用して用いられている。最近、移動情報装置においても無線インターネットの機能が付加されることによって、大画面の必要性が増加された。しかし、携帯用表示装置で大画面は移動などの携帯的な特性を生かさないので、折り畳み式携帯用表示装置が提案された。
【０００３】
一般に携帯用表示装置には、ＬＣＤ（Liquid Crystal Display）、ＴＦＴ（Thin film Transistor）−ＬＣＤ、ＦＥＤ（Field Emission Display）、ＰＤＰ（Plasma Display Panel）、ＥＬ（Electro Luminescent）、電子ペーパ（Electronic papaer）などの平板ディスプレイが用いられる。
【０００４】
マルチディスプレイを採用した携帯用表示装置で携帯性を高めるために、折り畳み式ディスプレイが提案された。従来の折り畳み式ディスプレイは、ディスプレイを装着したパネルハウジングを広げる場合、互いに隣接したディスプレイの間に繋ぎ目部が生じる。
【０００５】
しかし、前記繋ぎ目を少なくするためには非常に精密にディスプレイを加工すべきである問題点があり、また精密加工に従う信頼性が低下する問題もある。
【発明の開示】
【発明が解決しようとする課題】
【０００６】
従って、本発明は前記のような従来技術の問題点を解消するために創案するものであって、本発明の目的は、ディスプレイを装着した少なくとも二つ以上のパネルハウジングが折り畳まれることおよび広げられることができ、パネルハウジングが広げた位置で光学手段の側面が互いに隣接されて一つの画面を構成する折り畳み式携帯用表示装置を提供することにある。
【課題を解決するための手段】
【０００７】
前記目的を実現するために、本発明では、少なくとも二つ以上のディスプレイと、前記ディスプレイ、回路および部品が各々装着された少なくとも二つ以上のパネルハウジングと、および前記パネルハウジングの一つの側面の上段に備えて、ディスプレイの繋ぎ目に装着される光学手段とからなり、前記パネルハウジングの折り畳まれた状態で、パネルハウジングの一つの側面には開口または連結繋ぎ部が形成され、光学手段の側面が互いに隣接することを特徴とする携帯用表示装置を提供する。
【０００８】
そして、前記ディスプレイはパネルハウジングの一つの側面に各々密着され、光学手段の上に保護手段が備わって、前記保護手段と光学手段が一体に形成される。
【０００９】
また、前記パネルハウジングが回転する時、パネルハウジングの回転中心と光学手段または保護手段の間の距離が１ｍｍ以内である。前記ディスプレイの上部基板と下部基板をシーリングするシーリング剤は、ディスプレイパネルの繋ぎ目部で、画素から０．５ｍｍの以内に位置する。
【００１０】
前記光学手段は光の経路を移動させるために備えられ、光の経路を移動させる角度は、ディスプレイと光学手段の間の距離と画面非表示領域を考慮して決められる。
【００１１】
前記ディスプレイが機器に装着される場合、ディスプレイの繋ぎ目部に相当する機器の側面は切開されて開口または連結繋ぎ目が形成されるのが好ましい。
【００１２】
前記ディスプレイがシャシーに装着される場合、ディスプレイの側面はディスプレイの繋ぎ目部のみが囲まれる。
【００１３】
第１ディスプレイおよび第２ディスプレイに供給されるデータ信号と選択信号を分割し、前記ディスプレイの繋ぎ目部とは反対側にある一辺に、データ信号と選択信号を供給する外部電極を引き出す。
【発明の効果】
【００１４】
本発明は、二つ以上のディスプレイの間の非表示領域としての繋ぎ目部が最小化されて一つの大画面を構成する折り畳み式携帯用表示装置を提供する。
【００１５】
本発明によると、非表示領域としての繋ぎ目部を光学手段によって補償でき、二つのディスプレイで駆動信号を分割して一つの大画面を構成することができる。
【発明を実施するための最良の形態】
【００１６】
以下、本発明の好ましい実施形態を説明する。
【００１７】
本発明によると、少なくとも二つ以上の平板ディスプレイを相互連結して一つの大画面を見ることができる折り畳み式携帯用表示装置を提供する。平板ディスプレイパネルとしては液晶表示装置（ＬＣＤ）、電界発光（ＥＬ）、電界放出ディスプレイ（ＦＥＤ）、プラズマディスプレイパネル（ＰＤＰ）、電子ペーパなどを用いることができる。
【００１８】
本発明によると、二つの平板ディスプレイを相互連結されて、一つの大画面を形成する。
【００１９】
図１と図２は本発明の折り畳み式携帯用表示装置を表した図面である。
【００２０】
図１に示したように、本発明の折り畳み式携帯用表示装置は、二つのディスプレイ２、４と前記ディスプレイが装着された二つのパネルハウジング２０、４０を含む。表示装置が広げられる場合には、パネルハウジング２０、４０に各々備わった光学手段２７が得られる。また、前記パネルハウジング２０、４にはディスプレイを駆動するための回路や部品などが備えられる。
【００２１】
そして、前記パネルハウジング２０、４０は折り畳まれることおよび広げられることができるように連結手段６によって連結される。本実施形態では連結手段６でヒンジを用いた。
【００２２】
図２は本発明の携帯用表示装置が折り畳まれた状態の図面である。
【００２３】
パネルハウジング２０、４０の隣接した対向側面には、光学手段２７の側面もしくはディスプレイ２、４の側面を保護するためにカバー手段１８が備えられる。
【００２４】
図３〜図５はパネルハウジングが広げられた状態の断面図である。
【００２５】
図３のように、光学手段２７がディスプレイ２、４の上端に各々備えられて、パネルハウジング２０、４０が広げられる時に、光学手段２７は互いに隣接された状態になる。
【００２６】
パネルハウジング２０、４０が広げられる時に光学手段２７が互いにより隣接されるようにするために、光学手段２７はパネルハウジング２０、４０が互いに密着される部分であるパネルハウジング２０、４０の側面の上端に備えられる。この場合に、光学手段２７が互いにより隣接されるようにするために、パネルハウジング２０、４０の側面を切開して開口８ｂを形成する。前記開口８ｂの詳細は図１３に示された。
【００２７】
従って、パネルハウジング２０、４０が広げられる時、パネルハウジング２０、４０の切開された側面を通じて光学手段２７が相互隣接するようになる。
【００２８】
ディスプレイをパネルハウジング２０、４０の一つの側面に密着装着し、そしてパネルハウジング２０、４０の適切な厚さによって、ディスプレイ２、４の側面を外部衝撃から保護することができる。
【００２９】
各々のパネルハウジング２０、４０には各種の電子回路および装置２５、４５とディスプレイ２、４を支える台部２６、４６が備えられる。そして、各々のディスプレイ２、４の縁に覆い２４が備えられる。一方、カバー手段１８は便宜上図示を省略した。
【００３０】
パネルハウジングの回転中心Ａは覆い２４の上面により形成される面と同じ面に位置する。即ち、回転中心Ａの高さは覆いの高さと同一である。
【００３１】
図４は保護手段を備えた本発明の実施形態の図面である。図のように、保護手段１４が覆い２４とパネルハウジング２０、４０の内面に形成された段差２４ａ、２０ｃに装着されて、光学手段２７の側面と画面表示部に相当する光学手段２７の前面を保護する。また、前記保護手段１４の側面は前面よりさらに薄く形成して画面非表示領域としての繋ぎ目部８を最小化することができる。
【００３２】
前記保護手段１４の側面が保護フィルムである場合、保護フィルムは薄くされ、かつ堅くされるべきである。従って、保護フィルムは金属膜や樹脂フィルムに金属若しくは無機物をコーティングした材料で使用することができる。
【００３３】
前記、光学手段２７は保護手段１４の下部に備わって、保護手段１４と光学手段２７を一体にすることもできる。光学手段２７はマイクロプリズムやマイクロレンズで構成することができる。この場合に、保護手段１４と光学手段２７が一体に形成されることはマイクロプリズムやマイクロレンズが保護手段１４の下部に形成されることを意味する。好ましくは、前記保護手段は１ｍｍ、より好ましくは０．５ｍｍ以下に薄く形成する。
【００３４】
前記保護手段１４は光学手段２７の前面を保護する前面保護手段１４ａと光学手段２７の側面を保護する側面保護手段１４ｂを含む。前記側面保護手段１４ｂの厚さは前面保護手段１４ａより薄くして画面非表示領域の幅を減らすことが好ましく、側面保護手段１４ｂ厚さを０．５ｍｍ以内にするのが好ましい。側面保護手段１４ｂは金属物質もしくは無機質をコーティングして湿気透過を防止して堅固性を提供することができる。
【００３５】
図５はパネルハウジングの各々の側面に連結繋ぎ部を備えた表示装置を示す。
【００３６】
パネルハウジング２０、４０が広げられると、光学手段２７は互いに隣接され、連結繋ぎ部２０ａ、４０ａがこの間に配置される。従って、連結繋ぎ部２０ａ、４０ａが開口８ｂを塞ぐ。即ち、パネルハウジング２０、４０の対向する側面を切開して形成された開口８ｂ若しくは連結繋ぎ部２０ａ、４０ａによって光学手段２７が互いに隣接される。
【００３７】
前記連結繋ぎ部２０ａ、４０ａはパネルハウジング２０、４０の他の部分より薄く形成するのが好ましく、より好ましくは厚さを０．５ｍｍ以下にすることがよい。
【００３８】
パネルハウジング２０、４０の他の部分の厚さは１．５ｍｍ以下である。
【００３９】
図６はパネルハウジングの一部が折り畳まれた形態の表示装置を示す。
【００４０】
図６に示したように、パネルハウジング２０、４０が一部が折り畳まれた時、光学手段２７またはディスプレイ２、４の対向側面に隣接された繋ぎ目部８に生じる繋ぎ目の隙８ａが形成される。この繋ぎ目の隙８ａは表示装置においては欠点となるので、前記繋ぎ目の隙８ａの大きさは可能な限り小さくするのが良い。
【００４１】
図７〜図８は繋ぎ目の隙を小さくした本発明の実施形態を示す。
【００４２】
図３〜図４に示したように、パネルハウジング２０、４０の回転中心Ａを中心にパネルハウジング２０、４０が折り畳まれるか、広げられる。従って、回転中心Ａと保護手段１４もしくは回転中心Ａと光学手段２７の間の距離が小さいほど繋ぎ目の隙８ａが小さくなる。図７および図８に示したように、光学手段２７または保護手段１４は回転中心Ａから極めて近位の距離に形成される。従って、図面に示されたように、回転中心Ａと光学手段２７または保護手段１４の間の距離は１ｍｍ以内にするのが好ましい。光学手段２７または保護手段１４は回転中心Ａとほぼ一致したり、回転中心Ａから０．１ｍｍ以内に離れた状態に形成されることができる。
【００４３】
前記距離は、図７のように、連結繋ぎ部２０ａが形成される場合には回転中心Ａと連結繋ぎ部２０ａの間の距離を意味し、図３のように、連結繋ぎ部２０ａが形成されない場合には回転中心Ａと光学手段２７の間の距離を意味する。
【００４４】
図９はパネルハウジングが広げられた状態で光学手段を除去した状態の平面図である。
【００４５】
図面で見ると、ディスプレイ２、４の対向する側面がパネルディスプレイ２０、４０の側面に隣接または密着されてディスプレイの繋ぎ目８を最小化する。
【００４６】
図面で円内は繋ぎ目部を拡大して示した。ディスプレイとパネルハウジングの間に保護手段１４若しくは保護フィルムが備えられる。そして、ディスプレイの画素２ｅ、４ｅが各々繋ぎ目部８の隣に位置する。シーリング剤２ｆ、４ｆが画素２ｅ、４ｅの隣に備えられる。前記シーリング剤２ｆ、４ｆは画素２ｅ、４ｅから０．５ｍｍ以内の位置に備えられることが好ましい。前記シーリング剤は０．５ｍｍ範囲以内に形成されることが好ましい。
【００４７】
繋ぎ目部８はディスプレイ２、４の画面非表示領域であるので、図９の通り、画面非表示領域はパネルハウジング２０、４０の側壁、保護フィルム、保護手段１４およびシーリング剤２ｆ、４ｆの区間になる。図中に、画面非表示領域はＢと示されており、すべての画面非表示領域はＢの二倍になる。前記保護フィルムは通常の金属フィルムまたは樹脂膜で構成できる。
【００４８】
前記画面非表示領域を最小化するために、光学手段が非表示領域の内側に備えられることができる。パネルハウジング２０、４０の側壁の上端に光学手段２７を備えて画面非表示領域を最小化することができる。
【００４９】
図１０および図１１は光学手段の配置を示す。
【００５０】
図１０は光の進行経路を変わる光学手段の実施形態を示す。前記光学手段はポリアクリレートやポリエチレンテレフタレート（ＰＥＴ）のような透明なプラスチック材質からなった光伝導体２７ａと、光伝導体２７ａの間に備わって光の経路を傾ける反射膜２７ｂと、光を拡散する光拡散板２７ｃを含む。
【００５１】
図のように、光学手段２７の内の反射膜２７ｂの傾斜度は次の式（１）によって求められる。
【００５２】
ｔａｎα＝Ａ／Ｂ
ここで、Ａはディスプレイ２と光学手段２７の表面の間の距離であり、Ｂは、図９に示すように画面非表示領域の幅である。
【００５３】
また、光学手段２７が拡大された機能を実現するマイクロレンズを用いる場合には、前記Ａ値とＢ値を考慮して拡大比を定める。
【００５４】
図１１はディスプレイから光学手段の表面までの距離を示す。
【００５５】
ディスプレイは上部基板２ｉと下部基板２ｊからなる。
【００５６】
図のように、ディスプレイ２、４を向けて放出される光は、初めは電極２ｈから伝送されることであって、ディスプレイ２から光学手段２７の表面までの距離はＡ’になる。だから、式１でＡの代わりにＡ’が代入される。
【００５７】
図１２は表示装置でカバー手段を除去した状態を示す。
【００５８】
パネルハウジング２０、４０にはカバー手段１８を受納する受納空間２８が備えられる。光学手段２７の間には繋ぎ目の隙８ａが存在する。しかし、前記繋ぎ目の隙８ａは光学手段２７の間の間隙を最小化することによってほとんど除去することができる。
【００５９】
図１２で、光学手段２７の側面を点線で示したが、これは光学手段の側面が露出したりまたは露出しないことを現す。即ち、図３の構造では光学手段２７の側面が露出されるが、図５のように、連結繋ぎ部２０ａ、４０ａが形成されていれば光学手段２７の側面は露出されない。前記カバー手段１８はパネルハウジング２０、４０が広げられる時、光学手段２７が互いに隣接されることを許すようにパネルハウジング２０、４０の折り畳みに連動されて動く。
【００６０】
図１３はパネルハウジングが折り畳まれた状態を現す断面図である。
【００６１】
図１３では便宜上、カバー手段１８および受納空間２８を省略した。図１３で、回転中心Ａから各々の光学手段２７までの距離Ｌ１とＬ２は互いに同じである。また、回転中心から各々のディスプレイ２、４の間の距離Ｄ１とＤ２も互いに同じである。
【００６２】
従って、パネルハウジング２０、４０が広げられると、光学手段２７、２７は互いに接したり、隣接するようになる。
【００６３】
前記光学手段２７の側面は開口８ｂを通じて外部に露出されることができ、または、光学手段２７の側面はパネルハウジング２０、４０の側面に連結繋ぎ部２０ａ、４０ａが形成された構造では露出されないようにし得る。
【００６４】
図１４〜図１６はディスプレイを装着する機器を示す。
【００６５】
通常、ディスプレイ２はディスプレイパネル２ａ、駆動回路基板２ｂ、バックライト３０および機器１６０を含む。従って、図２〜図４のディスプレイ２、４はディスプレイパネル２ａ、駆動回路基板２ｂ、バックライト３０が装着された機器１６０を意味する。ディスプレイ２の繋ぎ目部８に相当する機器１６０の側面は切断されて、ディスプレイ２、４の間の画面非表示領域を最小化する。また、機器１６０には連結繋ぎ部１６０ｅ、１６０ｆを備えて画面非表示領域を最小化する。この時、前記連結繋ぎ部１６０ｅ、１６０ｆはパネルハウジング２０、４０の繋ぎ目部８に装着されて画面非表示領域が最小化される。
【００６６】
図１５は側面が完全に切開して開放されて連結繋ぎ部１６０ｅ、１６０ｆが形成された機器１６０を示す。
【００６７】
図１６は連結繋ぎ部１６０ｅ、１６０ｆを薄く形成した機器１６０を示す。機器の連結繋ぎ部は機器１６０の他の部分より薄く形成されて、機器の連結繋ぎ部１６０ｅ、１６０ｆは０．３ｍｍ以内の厚さを持つ。図１６では、薄い厚さを現すために連結繋ぎ部１６０ｅ、１６０ｆを点線で表した。
【００６８】
ディスプレイパネル２ａ、４ａとバックライトは機器１６０の板１６０ａに装着される。
【００６９】
図１７〜図１９はシャシーで囲まれたディスプレイを示す。
【００７０】
図のように、ディスプレイパネル２ａと駆動回路基板２ｂ、２ｃがシャシー１６により囲まれる。駆動回路基板は通常フィルムタイプを使用できる。図２〜図４のディスプレイ２、４はディスプレイパネル２ａ、駆動回路基板２ｂ、バックライト３０およびそれらを囲まれたシャシー１６の組立体を含み得る概念である。
【００７１】
シャシーはディスプレイおよびディスプレイ駆動回路を囲むアルミニウムのような金属材の構造物を含む概念である。この時、駆動回路基板２０ｂ、２０ｃは、ディスプレイパネル２ａの外部電極部２ｋに折り畳まれた状態で、シャシー１６若しくは機器１６０に装着されることができる。ディスプレイの大きさは、折り畳まれた状態にディスプレイパネル２ａの上板２ｉと下板２ｊの各々に外部電極部２ｋを連結することによって小さくなる。
【００７２】
図１８はディスプレイパネル２ａと駆動回路およびバックライト３０がシャシー１６により囲まれた構造を示す断面図である。繋ぎ目部８に相当するシャシー１６の部分はディスプレイパネル２ａの側面のみを囲み、ディスプレイパネルの上部を囲まないので、画面非表示領域を最小化する。
【００７３】
即ち、各々のディスプレイ２、４が接触されるシャシーの連結繋ぎ部１６ａはディスプレイの側面のみを囲む。また、画面非表示領域を少なくするために連結繋ぎ部１６ａをシャシーの他の部分より薄く形成する。
【００７４】
図１９はシャシーで開放された形態を有するシャシーを示す。
【００７５】
ディスプレイ２、４の側面が互いに接触されたり、非常に近く隣接される繋ぎ目部８を切開して開放する。従って、図１９のように、連結繋ぎ部１６ａは開放されて、ディスプレイパ２、４の側面が露出される。
【００７６】
また、シャシー１６の連結繋ぎ部がパネルハウジング２０、４０の繋ぎ目部８に装着されて画面非表示領域を最小化することができる。
【００７７】
図２０と図２１は二つの画面を一つの画面で駆動するための駆動回路のブロック図である。
【００７８】
第１ディスプレイパネル２ａと第２ディスプレイパネル４ａは各々第１および第２ソース駆動ドライバー２ｃ、４ｃと第１および第２ゲート駆動ドライバー２ｂ、４ｂに連結される。
【００７９】
表示装置から出る信号はフィールドプログラマブル配列ＦＰＧＡ１００に印加される。前記ＦＰＧＡ１００はローデータ処理部１１０とカラムデータ処理部１４０、メモリ素子１３０およびタイミングコントローラー１２０とからなる。そして電源部２００にＦＰＧＡ１００に連結される。
【００８０】
前記カラムデータ処理部１４０からの駆動信号はソース駆動ドライバー２ｃ、４ｃに供給され、ローデータ処理部１１０からの信号はゲート駆動ドライバー２ｂ、４ｂに供給される。各々の駆動ドライバーはディスプレイパネル２ａに連結されてディスプレイパネル２ａに画面が表示される。前記タイミングコントローラー１２０はソース駆動ドライバーとゲート駆動ドライバーの動機信号を調節する。
【００８１】
ソース駆動ドライバーからの信号はデータ信号であってもよく、ゲート駆動ドライバーからの信号は選択信号（Ｃｏｍｍｏｎ）であってもよい。
【００８２】
図２０と図２１のように、二つのディスプレイパネル２ａ、４ａを駆動するためには、ディスプレイパネル２ａ、４ａの各々にソース駆動ドライバー２ｃ、４ｃとゲート駆動ドライバー２ｂ、４ｂを連結すべきである。そして、これらのソース駆動ドライバー２ｃ、４ｃとゲート駆動ドライバー２ｂ、４ｂに各々駆動信号を供給する。
【００８３】
図２０はディスプレイパネル２ａ、４ａにデータ信号を送る第１ソース駆動ドライバー２ｃと第２ソース駆動ドライバー４ｃに同一な信号を送ることを示すブロック図である。第１ゲート駆動ドライバー２ｂと第２ゲート駆動ドライバー４ｂは時分割され、第１ゲート駆動ドライバー２ｂに先ず選択信号を送った後に、第２ゲート駆動ドライバー４ｂに選択信号を送る。
【００８４】
反対に、図２１のブロック図では、ディスプレイパネル２ａ、４ａに選択信号を送る第１ゲート駆動ドライバー２ｂと第２ゲート駆動ドライバー４ｂに各々同一な信号を送る。従って、データ信号は分割されて、各々の分割された信号は第１、２ソース駆動ドライバー２ｃ、４ｃに送られる。
【００８５】
例えば、第１、２ディスプレイパネル２ａ、４ａの各々にｎ個の電極ラインがソース駆動ドライバーと連結されると、二つの組み合わされたディスプレイパネルのために全体のデータラインは２ｎ個である。メモリ装置１３０に貯蔵された画像信号は分割され、第１ラインから第ｎラインまでの分割されたデータ信号は第１ソース駆動ドライバー２ｃに送って、第ｎ＋１ラインから第２ｎラインまでの分割されたデータ信号は第２ソース駆動ドライバー４ｃに送る。
【００８６】
従って、各々のディスプレイパネル２ａ、４ａに駆動信号を送ると、前記ディスプレイパネル２ａ、４ａは一つの画面を構成するように駆動される。
【００８７】
また、図２０と図２１のブロック図に示された駆動方法を組み合わせられることができる。即ち、第１、２ソース駆動ドライバー２ｃ、４ｃにデータ信号を時分割して供給することができるし、第１、２ゲート駆動ドライバー２ｂ、４ｂに選択信号を時間的に分割して供給することができる。そして、ゲート駆動ドライバーとソース駆動ドライバーは一つのチップで作ることができる。本発明の図面は二つのディスプレイパネルを一つの大画面で駆動する回路の例示構造である。
【００８８】
図２２はディスプレイの外部電極を示す。
【００８９】
通常、ディスプレイパネル２ａ、４ａの外部電極５１、５２、５３に駆動ドライバーＩ．Ｃを連結する。図面に示したように、複数の画素５０がディスプレイパネルに配置され、画素の各々の位置はｘ−ｙ座標に表す。画素を駆動するために、外部電極は四辺を持つディスプレイパネルの二辺から引き出される。しかし、量産性と競争価額のためには、一つのチップを持つ一つの駆動ドライバーＩ．Ｃを用いることができる。
【００９０】
図２２に示すように、ｘ方向の電極５１はディスプレイパネルの一辺から引き出され、ｙ方向の電極はディスプレイパネルの二つの対向電極から分けて引き出されて、分けた二つの電極５２、５３は二つの連結電極５２ａ、５３ａを通じてｘ方向電極と同一な方向に配置される。前記連結電極５２ａ、５３ａは便宜上一部だけ図示した。外部電極を拡大して円Ｃに現した。
【００９１】
外部電極をディスプレイパネル２ａ、４ａの一辺に引き出されたので、データ信号と選択信号を印加する駆動ドライバーは一つの回路チップで形成されてディスプレイパネルに連結される。
【００９２】
この場合に、データ信号と選択信号を供給する外部電極はディスプレイパネル２ａ、４ａの間に繋ぎ目部８がある辺の反対の辺に引き出される。
【００９３】
図２３と図２４は本発明の表示装置の他の実施形態を示す図面であり、外部電極部が機器の繋ぎ目部の反対側に装着された。
【００９４】
図２３はディスプレイパネル２ａにデータ信号と選択信号を供給する駆動ドライバーを連結するための外部電極５１、５２、５３が全て形成された外部電極部２ｋを示す。前記外部電極部２ｋは機器１６０の繋ぎ目部８と反対側に装着される。ディスプレイパネル２ａの繋ぎ目部８には連結電極５２ａ、５３ａと外部電極５１、５２、５３とが形成されないので画面非表示領域が最小化される。
【００９５】
外部電極部２ｋには回路連結部２ｅが連結されて駆動回路からディスプレイパネルに信号が供給される。機器１６０は掛かり孔１６１ａがある掛かり部１６１によってパネルハウジング２０、４０やシャシー１６に固定される。
【００９６】
前記回路連結部２ｅは繋ぎ目部８ａと反対側に備えられ、繋ぎ目部の幅を最小化する。
【００９７】
一方、機器１６０の繋ぎ目部８にはディスプレイパネル２ａの側面が露出されるが、必要ならば、そのような露出は防止できるし、またはディスプレイパネルやバックライトの側面を合成樹脂でコーティングして保護膜を形成することができる。
【００９８】
図２４は二つの機器が互いに対称された状態を示す。パネルハウジング２０、４０が広げられると、ディスプレイパネル２ａ、４ａが装着された機器１６０が繋ぎ目８を中心に対称される。
【００９９】
図のように、機器１６０の内でディスプレイパネル２ａの外部電極部２ｋが繋ぎ目部８の反対側に位置し、ディスプレイパネル２ａは回路連結部２ｅ、４ｅを通じて駆動回路基板に連結される。
【０１００】
図２５と図２６は機器が装着されたシャシーを示す。
【０１０１】
図のように、シャシー１６の繋ぎ目部８の上部は囲まれず、側面だけが囲まれている。シャシーの繋ぎ目部分の側面は他の部分よりさらに薄い。したがって、画面非表示領域が最小化されることができる。
【０１０２】
また、図２６に示すように、シャシー１６の繋ぎ目部の側面は開放形成されてディスプレイパネル２ａの側面が露出されることができる。この場合には、ディスプレイパネル２ａとバックライト側面を合成樹脂でコーティングして保護膜を形成することができる。
【０１０３】
また、ディスプレイパネル２ａをシャシー１６に装着した時には、図のように、データ信号と選択信号を供給する外部電極５１、５２、５３が備わった外部電極部２ｋがシャシー１６の繋ぎ目部８の反対側に装着される。しかし、前記外部電極部２ｋはシャシー１６の上部によって隠されている。
【０１０４】
シャシー１６はシャシー掛かり部１６ｃによってパネルハウジングに装着することができる。
【０１０５】
機器１６０やシャシー１６の連結繋ぎ部がパネルハウジング２０、４０の開口や連結繋ぎ部に装着された時には、外部電極部２ｋはパネルハウジング２０、４０の開口８ｂや連結繋ぎ部２０ａ、４０ａに装着される。
【０１０６】
ディスプレイパネル２ａ、４ａがパネルハウジング２０、４０に装着された時には、機器１６０とシャシー１６はすべて使用しなくともよく、機器１６０をシャシー１６とすることもできる。
【０１０７】
即ち、機器とシャシーはディスプレイパネルと回路をモジュールで統合されることができる単に保護構造である。前記機器１６０はプラスチック材料で主に作られ、シャシー１６はアルミニウムのような金属材で主に作られる。
【図面の簡単な説明】
【０１０８】
【図１】本発明の折り畳み式携帯用表示装置を現す斜視図である。
【図２】本発明の折り畳み式携帯用表示装置を現す斜視図である。
【図３】本発明の携帯用表示装置のパネルハウジングが広げられた状態を現す断面図である。
【図４】本発明の携帯用表示装置のパネルハウジングが広げられた状態を現す断面図である。
【図５】本発明の携帯用表示装置のパネルハウジングが広げられた状態を現す断面図である。
【図６】携帯用表示装置が一部だけ折り畳まれた形態を現す斜視図である。
【図７】ディスプレイの間の繋ぎ目を持つ本発明の携帯用表示装置を現す斜視図である。
【図８】ディスプレイの間の繋ぎ目を持つ本発明の携帯用表示装置を現す斜視図である。
【図９】パネルハウジングが広げられた状態で光学手段を除去した携帯用表示装置を現す平面図である。
【図１０】光学手段を現した図である。
【図１１】光学手段を現した図である。
【図１２】カバー手段を除去した携帯用表示装置を現す斜視図である。
【図１３】パネルハウジングが折り畳まれた状態の携帯用表示装置を現す断面図である。
【図１４】ディスプレイパネルが装着された機器を現す斜視図である。
【図１５】ディスプレイパネルが装着された機器を現す斜視図である。
【図１６】ディスプレイパネルが装着された機器を現す斜視図である。
【図１７】ディスプレイパネル囲むシャシーを現す図である。
【図１８】ディスプレイパネル囲むシャシーを現す図である。
【図１９】ディスプレイパネル囲むシャシーを現す図である。
【図２０】二つの画面を駆動するための駆動回路のブロック図である。
【図２１】二つの画面を駆動するための駆動回路のブロック図である。
【図２２】外部電極を持つディスプレイパネルを現す図である。
【図２３】シャシーの繋ぎ目部の反対側に装着された外部電極部を現す斜視図である。
【図２４】シャシーの繋ぎ目部の反対側に装着された外部電極部を現す斜視図である。
【図２５】シャシーに装着された機器を現す斜視図である。
【図２６】シャシーに装着された機器を現す斜視図である。
【図１】
2008542836.tif 000003
【図２】
2008542836.tif 000004
【図３】
2008542836.tif 000005
【図４】
2008542836.tif 000006
【図５】
2008542836.tif 000007
【図６】
2008542836.tif 000008
【図７】
2008542836.tif 000009
【図８】
2008542836.tif 000010
【図９】
2008542836.tif 000011
【図１０】
2008542836.tif 000012
【図１１】
2008542836.tif 000013
【図１２】
2008542836.tif 000014
【図１３】
2008542836.tif 000015
【図１４】
2008542836.tif 000016
【図１５】
2008542836.tif 000017
【図１６】
2008542836.tif 000018
【図１７】
2008542836.tif 000019
【図１８】
2008542836.tif 000020
【図１９】
2008542836.tif 000021
【図２０】
2008542836.tif 000022
【図２１】
2008542836.tif 000023
【図２２】
2008542836.tif 000024
【図２３】
2008542836.tif 000025
【図２４】
2008542836.tif 000026
【図２５】
2008542836.tif 000027
【図２６】
2008542836.tif 000028
【国際調査報告】
2008542836.tif 000029
2008542836.tif 000030